(57)【要約】      （修正有）【課題】  貴金属装身具の石留め部分のデザイン上の制約を改善すること、その石を簡単に貴金属部分に石留めできる方法を提供すること。【解決手段】  従来の方法にはないツメパーツ１４を用いて石１２を貴金属装身具１７に固定する。ツメパーツ１４は立体的な形状でユニークなデザインになり、ツメパーツ１４と貴金属装身具母体１７は丸線１３によって接続することを特徴とする。【選択図】  図１
2006262940.tif 000002
【特許請求の範囲】
【請求項１】
貴金属装身具の貴金属部分に石を留める方法。1個から複数のツメパーツを使用して石を固定する技法である。ツメパーツは立体的な形状で貫通した穴があいている。横には石を引っ掛けるためのアゴを設ける。アゴの大きさは留める石の引っ掛ける部分にあわせて作る。貴金属装身具本体にツメパーツを差し込むための棒を立てて、石座に石をセットしてツメパーツを棒に差し込み、石を押さえてから突き出た棒の頭をカシメルか又は溶接及びロー付けを行う。
【請求項２】
ツメパーツが小さくて貫通した穴が開けられない場合は、請求項1とは逆にツメパーツの方に棒を立てて、貴金属装身具本体に貫通した穴を開けてツメパーツの棒を差し込んで石留を行う。
【発明の詳細な説明】
【技術分野】
【０００１】
本発明は、貴金属装身具の貴金属部分に石を留める方法に関するものである。    
【背景技術】
【０００２】
石留技法は、ツメ留め・ふくりん留め・彫り留め・レール留めなどの技法がある。どの技法も石座に接続した棒状のツメや板状のツメをタガネや石留めやっとこを使用して、ツメを倒す事によって石を押さえて留めてある。また、貴金属装身具のデザインによって石の形状や石の種類は様々であり、一般的に石留めには熟練した技術を必要とする。
【０００３】
貴金属装身具におけるツメの役割は石を地金に留める他にもデザイン性を要求されるものである。そのために様々な石留技法が考案された。
【０００４】
【非特許文献１】「ヨーロッパのクリエイティヴジュエリー」、第16貢〜第17貢
【非特許文献２】「彫金教室・ジュエリー製作のテクニック」、第146貢〜第189貢
【発明の開示】
【発明が解決しようとする課題】
【０００５】
前記した如く、従来の石留め方法はツメを倒す事によって石を押さえて留めてあるためツメを倒すときに、石のガードル部や側面にツメが当たり石を破損するおそれがあり、貴金属装身具を製作するうえでの問題点となっている。
【０００６】
貴金属装身具におけるツメの役割は石を地金に留める他にもデザイン性を要求されるものである。そのために様々な石留技法が考案された。しかし、ツメを倒して石を留める機能を優先することが小さいツメしか作れないというデザイン上の制約となっている。
【０００７】
本発明は、石留め部分のデザイン上の制約を改善すること、その石を簡単に貴金属部分に石留めできる方法を提供することを目的とする。
【課題を解決するための手段】
【０００８】
前記課題を解決するための石留め方法は、貴金属装身具の母体とツメを分けることによってツメパーツを作製する。ツメパーツは立体的な形状でユニークなデザインになる。ツメパーツには貫通した穴が開けてあり、横には石を引っ掛けるためのアゴを設ける。母体にはツメパーツを差し込むための棒を立てておく。石を石座にセットしてからツメパーツを棒に差し込み石を押さえる。ツメパーツからはみ出た部分をカシメルか又はロー付け及び溶接をして外れないように固定する。      
【発明の効果】
【０００９】
本発明によれば、硬度の低い石や石の角を押さえて留めようとする場合に特に有効であり、ツメパーツのアゴ部分が事前に石の形状に合わせて削ってあるため、熟練した技術を必要とせずに石を留めることができる。
【００１０】
球状のツメパーツや立方体のツメパーツ、モチーフをかたどったツメパーツを使用したり、ツメパーツの素材を母体と変えることで従来とは異なるデザイン性の広がりが可能となった。
【発明を実施するための最良の形態】
【００１１】
図1〜図4は本発明の第一の実施の形態に係り、図1はその断面図、図2はその石留め方法を示した模式図、図3は本発明の第1の実施形態に係るカボッションカット形状の石を使用した場合の石留め方法の模式図、図4は本発明の第１の実施形態に係る1つのツメパーツを2つの石で共有するデザインの斜視図、図5は第2の実施の形態に係る断面図である。
【００１２】
図1の断面図に示すように石座11は石12を留めたときに適度な高さになるように大きさを調節する。石座の横に1,2mmくらいの丸線13を母体に17立てる。丸線13の長さはツメパーツ14の高さよりも長くしてツメパーツ14を差し込んだ後でカシメルことができるようにする。ツメパーツ14には丸線13が通る遊びの少ない貫通した穴を開ける。ツメパーツ14の側面に石のガードル部の形状15に合わせたアゴ16を削る。
【００１３】
図2で示すように（0012）の条件を調えた後、石12をツメパーツ14で挟み込んで丸線13に差し込む。ツメパーツ14がしっかりと石12を押さえた事を確認してから丸線13をカシメルか又は、ロー付けか溶接を行いツメパーツ14が外れないようにする。最後に表面を光沢仕上げやテクスチャーを施す。
【００１４】
図3で示すように石（カボッションカット）18を使用する場合は、作業効率を上げるため１つのツメパーツ19をあらかじめ母体20に一体化しておき、残りのツメを固定するときに本発明を使用する。石（カボッションカット）18をセットした後で、石の接する部分を石の形状に合わせたツメパーツ21を丸線22に差し込み（0013）と同様に固定する。
【００１５】
図4で示すようにデザインによっては， 2つの石で1つのツメパーツ23を共有しながら、両端は通常のツメパーツ24を使用して石を留める。
【００１６】
図5は第2の実施形態に係る断面図である。ツメパーツが小さくて貫通した穴が開けられない場合はツメパーツ25に丸線を立てて装身具本体に貫通した穴を開ける。石座を削り石の高さを調節してから、ツメパーツで石を押さえてツメパーツが外れないように丸線をカシメルか、ロー付け及び溶接を行いツメパーツ25が外れないように固定する。
【実施例】
【００１７】
以上、本発明の実施の形態を説明したが、本発明の範囲はこれに限定されるものではない。例えば、石留めに使用される石は、貴石、半貴石、化石、合成石、ガラス、木材、プラスチックを使用することも可能である。さらには、貴金属装身具母体とツメパーツに使用される素材も、貴金属に限られるものではなく、銅、鉄、真鍮、ステンレス、などの金属や合金、ガラス、木材、プラスチックを使用することも可能である。
【００１８】
また、ツメパーツの形状や大きさはデザイナーの感性により無限に広がるものであり、使用されるツメパーツの数量もデザインに応じて変化するため限定されるものではない。  
【図面の簡単な説明】
【００１９】
【図１】本発明の第1の実施形態に係る指輪に球状のツメパーツを使用して石留めをした状態の断面図である。
【図２】図1の石留め方法を示した模式図である。
【図３】本発明の第1の実施形態に係るカボッションカットの石を使用した場合の石留め方法の模式図である。
【図４】本発明の第１の実施形態に係る1つのツメパーツを2つの石で共有するデザインの斜視図である。
【図５】本発明の第2の実施形態に係る指輪に石留めをした状態の断面図である。
【符号の説明】
【００２０】
11   石座
石
丸線
ツメパーツ
ガードル
アゴ
母体
石（カボッションカット）
ツメパーツ
母体
ツメパーツ
丸線
共有するツメパーツ
ツメパーツ
ツメパーツ
【図１】
2006262940.tif 000003
【図２】
2006262940.tif 000004
【図３】
2006262940.tif 000005
【図４】
2006262940.tif 000006
【図５】
2006262940.tif 000007
【手続補正書】
【提出日】平成17年3月22日(2005.3.22)
【手続補正１】
【補正対象書類名】明細書
【補正対象項目名】００２０
【補正方法】変更
【補正の内容】
【００２０】
１１  石座
１２  石
１３  丸線
１４  ツメパーツ
１５  ガードル
１６  アゴ
１７  母体
１８  石（カボッションカット）
１９  ツメパーツ
２０  母体
２１  ツメパーツ
２２  丸線
２３  共有するツメパーツ
２４  ツメパーツ
２５  ツメパーツ